(57)【要約】【課題】受電までの中央制御室内の工事および電気試験を余裕のある工程で対応可能とし、受電時期の前倒しおよびプラント建設全体工期を短縮する【解決手段】原子力発電所の建設工事に際し、上部階層に設置される中央制御室と中央制御室下部躯体の構築を平行して実施し、中央制御室をユニットシステム化する。【選択図】  図１
2006090776.tif 000002
【特許請求の範囲】
【請求項１】
原子力発電所の原子炉建屋を建設する工法において、前記原子炉建屋の上部階層に配置される中央制御室の躯体と、この中央制御室の下部に配置される下部躯体との構築を異なるエリアで平行して実施し、かつ前記中央制御室は、盤および配線を備えたユニットとして構築することを特徴とする原子炉建屋の建設工法。
【請求項２】
前記中央制御室の躯体を構築するエリアで前記中央制御室内の工事および電気試験を完了させ、前記下部躯体の構築が完了した後に、前記下部躯体の上方に前記中央制御室を搭載する請求項１記載の原子炉建屋の建設工法。
【請求項３】
前記中央制御室の躯体の構築およびその室内工事を行うエリアを前記原子炉建屋の周辺に設定し、前記原子炉建屋の周辺に設けられた大型クレーンまたは前記エリアに設けた仮設の門型クレーンにより、前記中央制御室を前記下部躯体の上方に移動および搭載する請求項２記載の原子炉建屋の建設工法。
【請求項４】
ユニットとして構築した前記中央制御室の室内工事および電気試験期間を、原子力発電所建設のクリティカルとなる受電時期までに終了させる請求項２記載の原子炉建屋の建設工法。
【請求項５】
原子力発電所建設のクリティカルとなる前記受電時期を前倒しすることにより、原子力発電所建設における全体工期を短縮する請求項４載の原子炉建屋の建設工法。
【発明の詳細な説明】
【技術分野】
【０００１】
本発明は、原子力発電所における原子炉建屋の建設工法に係り、特に原子炉建屋の上部階層に配置される中央制御室とその下部に配置される下部躯体との構築を平行して実施し、中央制御室をユニット化することにより原子力発電所建設期間の短縮を図った原子炉建屋の建設工法に関する。
【背景技術】
【０００２】
一般に、原子力発電所における原子炉建屋の建設工事においては、床、壁、天井の順に下方から躯体工事を進めて行き、天井工事が完了して一定の養生期間が経過した後に各室内の工事に着手している。従って、上部階になるほど室内の工事着手時期が遅くなっている。
【０００３】
この従来の建設工程を図６によって具体的に説明する。図６（Ａ）は建屋構造を示す概略図であり、図６（Ｂ）は工事手順を示す説明図である。
【０００４】
図６（Ａ）に示すように、中央制御室１は、原子炉建屋の上階に例えば周辺に沿う配置で設置されており、中央制御室１の下階には下方から複数の下部躯体２（２ａ，２ｂ，２ｃ）が積層配置されている。
【０００５】
そして、下部躯体工事は、図６（Ｂ）に示すように、最下階の下部躯体２ａから開始され、その後、上階側の下部躯体２ｂ，２ｃへ順次進められ、各階の養生期間後に室内工事が行われる。中央制御室１の躯体工事が完了した後に、中央制御室１内の電気工事、試験等が行われる。すなわち、従来の建設工法のもとでは、中央制御室１が上階に設置されていることから、下部躯体２の工事が完了した後に中央制御室１の躯体工事を開始している。原子力発電所の建設工事においては、受電時期がクリティカルとなっているため、中央制御室１の躯体工事完了から受電までの室内工事および電気試験は非常に厳しい期間で対応しているのが現状である。
【０００６】
なお、これまでに原子炉建屋の建設期間短縮技術として、中央制御室の二重天井内の照明、ダクト、天井建具までをユニット化する工法が提案されている（特許文献１参照）。ただし、この技術においても、下部躯体工事については最下階の下部躯体から開始され、順に上階側の下部躯体について進められ、最後に中央制御室１の躯体工事が完了し、その後に中央制御室１内の電気工事、試験等が行われる。
【特許文献１】特開平１０−２６０２８４号公報
【発明の開示】
【発明が解決しようとする課題】
【０００７】
上述したように、従来の建設工法においては、下部躯体の工事が完了した後に中央制御室の躯体工事を開始するため、中央制御室１の躯体工事完了から受電までの室内工事および電気試験は非常に厳しい期間で対応しているのが現状であった。
【０００８】
本発明は、このような事情に鑑みてなされたものであり、受電までの中央制御室内の工事および電気試験を余裕のある工程で対応可能とし、しかも受電時期の前倒しおよびプラント建設全体工期の短縮を図ることができる原子炉建屋の建設工法を提供することを目的とする。
【課題を解決するための手段】
【０００９】
上記の目的を達成するため、請求項１に係る発明では、原子力発電所の原子炉建屋を建設する工法において、前記原子炉建屋の上部階層に配置される中央制御室の躯体と、この中央制御室の下部に配置される下部躯体との構築を異なるエリアで平行して実施し、かつ前記中央制御室は、盤および配線を備えたユニットとして構築することを特徴とする原子炉建屋の建設工法を提供する。
【００１０】
請求項２に係る発明では、前記中央制御室の躯体を構築するエリアで前記中央制御室内の工事および電気試験を完了させ、前記下部躯体の構築が完了した後に、前記下部躯体の上方に前記中央制御室を搭載する原子炉建屋の建設工法を提供する。
【００１１】
請求項３に係る発明では、前記中央制御室の躯体の構築およびその室内工事を行うエリアを前記原子炉建屋の周辺に設定し、前記原子炉建屋の周辺に設けられた大型クレーンまたは前記エリアに設けた仮設の門型クレーンにより、前記中央制御室を前記下部躯体の上方に移動および搭載する原子炉建屋の建設工法を提供する。
【００１２】
請求項４に係る発明では、ユニットとして構築した前記中央制御室の室内工事および電気試験期間を、原子力発電所建設のクリティカルとなる受電時期までに終了させる原子炉建屋の建設工法を提供する。
【００１３】
請求項５に係る発明では、原子力発電所建設のクリティカルとなる前記受電時期を前倒しすることにより、原子力発電所建設における全体工期を短縮する原子炉建屋の建設工法を提供する。
【発明の効果】
【００１４】
本発明によれば、原子炉建屋の上部階層に配置される中央制御室の躯体と、この中央制御室の下部に配置される下部躯体との構築を異なるエリアで平行して実施することにより、中央制御室の躯体工事を早期に開始し、中央制御室の躯体工事を早期に終了させることができる。また、中央制御室は、盤および配線を備えたユニットとして構築することにより、その室内工事および試験も早期に行うことができる。
【００１５】
そして、中央制御室の躯体を構築するエリアで中央制御室内の工事および電気試験を完了させ、下部躯体の構築が完了した後に下部躯体の上方に中央制御室を搭載することにより、受電までの工程確保または、原子力発電所建設のクリティカルである受電時期の前倒しが可能となり、全体工期の短縮が図れる。
【発明を実施するための最良の形態】
【００１６】
以下、本発明に係る原子炉の建屋建設工法の実施形態について、図１〜図５を参照して説明する。
【００１７】
図１（Ａ）は建屋建設工法を説明する部分縦断面図であり、図１（Ｂ）は図１の平面図である。図２は同工法による手順を示す説明図である。図３は中央制御室の内部構成を示す斜視図である。図４（Ａ），（Ｂ）および図５は作用説明図である。
【００１８】
図１（Ａ），（Ｂ）に示すように、本実施形態では、原子炉建屋の上部階層に配置される中央制御室の躯体１（以下、「制御室躯体１」という。）と、この中央制御室躯体１の下部に配置される下部躯体２ａ，２ｂ，２ｃとの構築が異なるエリアで平行して実施される。すなわち、中央制御室躯体１は、例えば原子炉建屋周辺のエリア１１（以下、「中央制御室構築エリア１１」という。）で構築され、下部躯体２ａ，２ｂ，２ｃは建屋自体の構築エリア１２内で従来同様に構築される。
【００１９】
なお、中央制御室構築エリア１１は、例えば原子炉建屋周辺全体に沿って配置されるが、図１（Ａ）では紙面上の左右で対向する部分の中央制御室構築エリア１１および中央制御室躯体１のみについて簡略的に示している。また、図１（Ｂ）では紙面上の上半分の中央制御室構築エリア１１および中央制御室躯体１のみについて簡略的に示している。
【００２０】
中央制御室構築エリア１１には、中央制御室躯体１を下部躯体２ｃ上に搭載するための設備として、走行用レール３と、この走行用レール３上に配置されて構築後の中央制御室躯体１を設置レベルまで吊上げる仮設の門型クレーン４とが設置されている。なお、図示しないが、門型クレーン４に代えて、原子炉建屋の周辺に設けられる大型クレーンを中央制御室躯体１の吊上げ用として適用してもよい。
【００２１】
また、中央制御室構築エリア１１において、レール３上には図示省略の台車が搭載され、この台車の上にて中央制御室躯体１が構築される。
【００２２】
このような配置設定のもとで、図２に工程図として示すように、中央制御室躯体工事（１）と、中央制御室躯体１の下部に配置される下部躯体工事（２ａ），（２ｂ），（２ｃ）とが、平行して実施される。なお、各下部躯体工事（２ａ），（２ｂ），（２ｃ）の終了毎に、所定の養生期間経過後に室内工事が行われる。
【００２３】
中央制御室躯体工事（１）が終了した後には、所定の養生期間経過後に、中央制御室内工事および電気試験およびその他の各種試験が行われる。そして、下部躯体２ａ，２ｂ，２ｃの構築が完了した後であって、中央制御室内の工事および電気試験が完了した後に、中央制御室躯体１が最上部の下部躯体２ｃの上方に、例えば門型クレーン４を適用して搭載される（図１の矢印ａ参照）。
【００２４】
なお、本実施形態では、中央制御室構築エリア１１で構築される中央制御室躯体１が、盤および配線等を備えたユニットとして構築される。図３は、このユニット構造を示している。
【００２５】
図３に示すように、中央制御室内工事としては、制御盤基礎工事としてコンクリート基礎５、Ｈ型鋼６、チァンネルベース７、盤８、中央制御室床９およびケーブル１０等の施工が行われる。そして、電気試験を予め実施し、中央制御室ユニットシステムとして、下部躯体２ｃ上に搭載される。
【００２６】
以上のように、実施形態においては、下部躯体２ａ，２ｂ，２ｃと平行して中央制御室躯体１および室内工事、電気試験等が実施可能となる。
【００２７】
図４（Ａ），（Ｂ）は、本発明の実施形態と従来例との建屋建設シーケンスを対比して示したものである。図４（Ａ）に示すように、従来シーケンスにおいては、下部躯体工事（２ａ），（２ｂ），（２ｃ）および室内工事の終了後に、中央制御室躯体工事（１）が行われ、その後に中央制御室内工事および電気試験が行われていたのに対し、本発明シーケンスでは、下部躯体工事（２ａ），（２ｂ），（２ｃ）と中央制御室躯体工事（１）、ならびに室内工事および電気試験が平行して行われる。この結果、本実施形態では、中央制御室躯体工事（１）が従来に比して早期に終了し、それにより中央制御室内工事および電気試験等も早期に終了することができる。
【００２８】
図５は、さらに原子力発電所建設のクリティカルとなる受電までの流れを本実施形態の工程と従来の工程とで比較例示したものである。
【００２９】
この図５に示すように、従来工程の場合には、下部躯体工事の完了後に、中央制御室躯体工事が行われ、その後に中央制御室内電気工事および電気試験が行われることから、全ての期間の総和となる全期間が終了した後に受電が行われる。
【００３０】
これに対し、本実施形態では、下部躯体工事と中央制御室躯体工事とが平行して行われ、さらに中央制御室内の電気工事（室内工事）および電気試験も下部躯体工事と平行して行われる。そして、その後の中央制御室躯体の下部躯体への搭載および電気試験が行われた後に、すぐ受電を行うことができる。
【００３１】
すなわち、本実施形態では、ユニットとして構築した中央制御室の室内工事および電気試験期間を、原子力発電所建設のクリティカルとなる受電時期までに終了させる。また、原子力発電所建設のクリティカルとなる受電時期を前倒しすることにより、原子力発電所建設における全体工期が短縮される工程となっている。
【００３２】
よって、本実施形態によれば、原子力発電所の建設工事に際し、上部階層に設置される中央制御室と中央制御室下部躯体の構築を平行して実施し、中央制御室をユニットシステム化することにより、受電時期の前倒しおよびプラント建設全体工期を短縮することができる。そして、受電までの工程確保またはクリティカルである受電時期の前倒しが可能となり、全体工期の短縮が図れる。
【００３３】
また、原子炉建屋周辺に中央制御室のユニットの構築および室内工事を行うエリアを設け、建屋周辺に設けられた大型クレーンまたは構築エリアに設けた仮設の門型クレーンにて、走行レールを介して当該場所まで中央制御室ユニットを搭載および移動可能とすることにより、プラント建設全体工期の短縮を図ることができる。
【図面の簡単な説明】
【００３４】
【図１】（Ａ）、（Ｂ）は、本発明の一実施形態による中央制御室ユニットシステム化および建設工法の概念図。
【図２】本発明の一実施形態による中央制御室ユニットシステム化および建設工法の作業フロー図。
【図３】本発明の一実施形態による中央制御室断面図。
【図４】（Ａ）、（Ｂ）は、従来工法と本発明工法のフロー比較図。
【図５】従来工法と本発明工法の工程比較図。
【図６】（Ａ）、（Ｂ）は、従来工法による中央制御室ユニットシステム化および建設工法の概念図。
【符号の説明】
【００３５】
１  中央制御室躯体
２  下部躯体
３  レール
４  門型クレーン
５  コンクリート基礎
６  Ｈ型鋼
７  チァンネルベース
８  盤
９  ケーブル
１０  床
１１  中央制御室構築エリア
１２  建屋自体の構築エリア
【図１】
2006090776.tif 000003
【図２】
2006090776.tif 000004
【図３】
2006090776.tif 000005
【図４】
2006090776.tif 000006
【図５】
2006090776.tif 000007
【図６】
2006090776.tif 000008